(57)【要約】【課題】決済処理などを行う場合に、利用者が複数枚の非接触ＩＣカードが財布やケースなどに収納されたまま、まとめてカードＲ／Ｗ装置に提示した場合でも、該当する１枚の非接触ＩＣカードとカードＲ／Ｗ装置間で安定して通信を行うことができるようにすること。【解決手段】複数枚の非接触ＩＣカードを収納可能な非接触ＩＣカード収納装置は、該非接触ＩＣカード収納装置に収納された各非接触ＩＣカードのカード情報を取得する手段と、該取得された複数のカード情報を記憶する手段と、決済処理などの際に非接触ＩＣカードリーダ／ライタ装置からカード捕捉指令を受信すると、前記記憶したカード情報から該カード捕捉指令に対応する非接触ＩＣカードを検索し、該非接触ＩＣカードが該非接触ＩＣカードリーダ／ライタ装置と通信可能となるようにアンテナを設定する手段と、を備える。【選択図】図３
2008027199.tif 000002
【特許請求の範囲】
【請求項１】
複数枚の非接触ＩＣカードを収納可能な非接触ＩＣカード収納装置であって、
前記非接触ＩＣカード収納装置に収納された各非接触ＩＣカードのカード情報を取得する手段と、
前記取得された複数のカード情報を記憶する手段と、
非接触ＩＣカードリーダ／ライタ装置からカード捕捉指令を受信すると、前記記憶されたカード情報から該カード捕捉指令に対応する非接触ＩＣカードを検索し、該非接触ＩＣカードが該非接触ＩＣカードリーダ／ライタ装置と通信可能となるようにアンテナを設定する手段と、
を備えることを特徴とする非接触ＩＣカード収納装置。
【請求項２】
前記カード情報は、カード事業者の種別と、各非接触ＩＣカードごとに用意されたアンテナのうちどのアンテナを使用して通信するかを示すアンテナ識別情報とを含むことを特徴とする請求項１記載の非接触ＩＣカード収納装置。
【請求項３】
前記非接触ＩＣカードごとに用意されたアンテナ周辺に遮蔽板を配置し、アンテナ間の干渉を防ぐように構成されていることを特徴とする請求項２記載の非接触ＩＣカード収納装置。
【請求項４】
前記記憶された複数の非接触ＩＣカードのカード情報のうち、同じカード事業者を示すカードが複数枚以上ある場合には、予め設定された優先順位に基づいて前記カード捕捉指令に対応する非接触ＩＣカードを決定することを特徴とする請求項２記載の非接触ＩＣカード収納装置。
【請求項５】
複数枚の非接触ＩＣカードを収納可能な非接触ＩＣカード収納装置であって、
該非接触ＩＣカード収納装置は、
前記非接触ＩＣカード収納装置と非接触ＩＣカードリーダ／ライタ装置との通信に用いられる第１のアンテナを、該非接触ＩＣカード収納装置のカード最上面と最下面にそれぞれ備え、
前記非接触ＩＣカードを１枚収納可能なスロットと、該スロットに収納される非接触ＩＣカードと該非接触ＩＣカード収納装置との通信に用いられる第２のアンテナとの組み合わせを遮蔽板で仕切って複数備えるものであって、
非接触ＩＣカード収納装置に収納された各非接触ＩＣカードのカード情報を取得するカード情報取得手段と、
前記取得したカード情報をテーブルに格納して記憶するカード情報記憶手段と、
決済処理などの際に、前記非接触ＩＣカードリーダ／ライタ装置から前記第１のアンテナを介してカード捕捉指令を受信すると前記カード情報記憶手段を検索し、該カード捕捉指令に対応する非接触ＩＣカードを決定し、該決定された非接触ＩＣカードに対応する第２のアンテナを通信可能状態に設定するアンテナ切替手段と、
を備えることを特徴とする非接触ＩＣカード収納装置。
【発明の詳細な説明】
【技術分野】
【０００１】
本発明は、複数枚の非接触ＩＣカードを収納可能な非接触ＩＣカード収納装置に関わり、更に詳しくは、該収納装置に収納された複数枚の非接触ＩＣカードのうち、該当する１枚の非接触ＩＣカードを選定して通信を行うことを可能とする非接触ＩＣカード収納装置に関わる。
【背景技術】
【０００２】
近年、キャッシュカード大のプラスチック製カードにＩＣチップを埋め込み、情報を記録できるようにしたＩＣカードが普及してきている。
特に、カード内にアンテナを備え、微弱な電波を利用して非接触ＩＣカードリーダ／ライタ装置（以下、カードＲ／Ｗ装置という。）と通信する非接触ＩＣカードは、カードＲ／Ｗ装置に接触させなくても処理が可能なため、高速な決済処理等が必要な鉄道、バス、レジャー施設、コンビニエンスストアなどで広く利用されつつある。
【０００３】
非接触ＩＣカードが広く普及することにより、利用者は様々なカード事業者の非接触ＩＣカードを保持するようになり、決済処理などで非接触ＩＣカードを利用する際には複数枚の非接触ＩＣカードの入った財布やカードケースなどをそのままカードＲ／Ｗ装置に翳すことが考えられる。
【０００４】
特許文献１では複数枚の非接触ＩＣカードが重なりあったような状態でカードＲ／Ｗ装置に提示されるような場合であっても、安定して複数の非接触ＩＣカードと通信を行うことを可能とする非接触通信カードおよびカードホルダ、方法について開示している。しかしながら、異なるカード事業者の非接触ＩＣカードを混在させてカードＲ／Ｗ装置に提示する利用形態は、取引不要な非接触ＩＣカードにカードＲ／Ｗ装置からのアクセスを必要とし、非接触ＩＣカードとカードＲ／Ｗ装置間の通信品質の低下や通信時間の増大を招く。よって多くの場合、カードＲ／Ｗ装置は、利用者によってカード等が提示された際に複数枚の非接触ＩＣカードを検知した場合には取引を中断するように構成されている。この取引の中断は、利用者に該当するカード事業者の非接触ＩＣカードのみを再度提示してもらうためである。  
【０００５】
また特許文献２では、カード利用時にカードＲ／Ｗ装置の取引を中止させないようにするためのカードケースを開示している。このカードケースは、各非接触ＩＣカードを遮蔽板で覆うような構成をとり、利用者はカード利用時にカードＲ／Ｗ装置に提示したい非接触ＩＣカードを前面に開いて翳し、それ以外の物品（硬貨、その他の非接触ＩＣカード、金属物品など）からの影響を遮蔽板により防ぐことができるように構成されている。しかしながら、利用者は事前に利用する非接触ＩＣカードを選択し前面に開く必要があるため、利用者が戸惑ってしまった場合などは駅の改札や決済端末装置において混雑を招く可能性がある。また、利用者が慌てて意図せぬ非接触ＩＣカードを提示してしまい、それに気づかず利用してしまう場合なども考えられる。よって、利用者がより使いやすい装置、方法等が求められる。
【特許文献１】特開２０００−９９６５５号公報
【特許文献２】特開２００６−１８７８５号公報
【発明の開示】
【発明が解決しようとする課題】
【０００６】
上述のように、今後、非接触ＩＣカードの普及に伴い、利用者はカード事業者の異なる複数枚の非接触ＩＣカードをまとめて財布やケースなどに収納して利用することが考えられる。
【０００７】
そこで本発明の課題は、決済処理などを行う場合に、利用者がカード事業者の異なる複数枚の非接触ＩＣカードを財布やケースなどに収納したまま、まとめてカードＲ／Ｗ装置に提示した場合でも、該当する１枚の非接触ＩＣカードとカードＲ／Ｗ装置間で安定して通信を行うことができる非接触ＩＣカード収納装置を提供することにある。
【課題を解決するための手段】
【０００８】
上述した課題を解決するために本発明の非接触ＩＣカード収納装置を、カードＲ／Ｗ装置と通信するための第１のアンテナをカード最上面および最下面に配置し、また、１枚の非接触ＩＣカードを収納するためのスロットおよび該非接触ＩＣカードと該非接触ＩＣカード収納装置との通信に用いられる第２のアンテナをひとまとまりとして、遮蔽板で仕切って複数配置して構成した。そして、該収納装置は前記スロットに挿入されている複数枚の非接触ＩＣカードそれぞれに対して、カード事業者種別と通信の際利用する第２のアンテナの識別情報とを含むカード情報を取得し、記憶テーブルに格納し、利用者が決済処理の際に該非接触ＩＣカード収納装置を提示することによって、該非接触ＩＣカード収納装置の第１のアンテナがカードＲ／Ｗ装置からのカード捕捉指令を受信すると、前記記憶テーブルから該カード捕捉指令に対応する非接触ＩＣカードを検索し、対応する第２のアンテナを通信可能状態に切替え、該当する非接触ＩＣカードが非接触ＩＣカード収納装置を介してカードＲ／Ｗ装置と通信し、決済処理等を行うように構成した。
【０００９】
このような構成により、複数枚の非接触ＩＣカードが同時にカードＲ／Ｗ装置に提示されるが、１枚の非接触ＩＣカードのみが通信を行うため、安定した通信を実現することが可能で、また複数の非接触ＩＣカードが同時にカードＲ／Ｗ装置に検知されることがないため取引中断も発生しない。さらに、決済処理などのための利用カードを選定する利用者の動作も不要であるため、駅の改札や決済処理端末装置周辺での混雑を招くこともない。
【００１０】
本発明の一態様によれば、複数枚の非接触ＩＣカードを収納可能な非接触ＩＣカード収納装置であって、前記非接触ＩＣカード収納装置に収納された各非接触ＩＣカードのカード情報を取得する手段と、前記取得された複数のカード情報を記憶する手段と、非接触ＩＣカードリーダ／ライタ装置からカード捕捉指令を受信すると、前記記憶したカード情報から該カード捕捉指令に対応する非接触ＩＣカードを検索し、該非接触ＩＣカードが該非接触ＩＣカードリーダ／ライタ装置と通信可能となるようにアンテナを設定する手段と、を備えることを特徴とする。これにより、非接触ＩＣカードリーダ／ライタ装置からカード捕捉の要求を受けた際に、非接触ＩＣカード収納装置が記憶している複数のカード情報から該当するカードを選定することが可能なため、利用者がカードを選ぶことなく非接触ＩＣカードリーダ／ライタ装置へ確実に応答することが可能となる。また、１枚の非接触ＩＣカードと非接触ＩＣカードリーダ／ライタ装置間の通信となるため、相互認証通信、非接触ＩＣカード内の情報の読取／書込などの通信処理を確実に行うことが可能となる。
【発明の効果】
【００１１】
本発明によれば、複数枚の非接触ＩＣカードが同時にカードＲ／Ｗ装置に提示されても、一枚の非接触ＩＣカードとカードＲ／Ｗ装置の通信となるため、安定した通信を実現可能で、また複数の非接触ＩＣカードが同時にカードＲ／Ｗ装置に検知されることがないため決済処理などの中断を防ぐことが可能である。更に決済処理などのための利用カードを選定する利用者の動作が不要であるため、駅の改札や決済処理端末装置周辺での混雑を招くことがなくなる。
【発明を実施するための最良の形態】
【００１２】
以下、図面を参照して、本発明の実施の形態について説明する。
図１に、本発明の実施例である非接触ＩＣカード収納装置の外観を示す。
非接触ＩＣカード収納装置１は、カードＲ／Ｗ装置（不図示）との通信を行うためのアンテナＡ１００をカード最上面およびカード最下面にそれぞれ備える。非接触ＩＣカード２は、図１に示すように収納され、ＬＥＤ３は収納装置１に収納された非接触ＩＣカード２からカード情報を取得中であることを点灯や点滅によって示す。
【００１３】
図２に、図１に示した非接触ＩＣカード収納装置１を視点ａから見た図を示す。
上述したように収納装置１は、非接触ＩＣカード収納装置１の上面からでも下面からでもカードＲ／Ｗ装置との通信が可能となるようにアンテナＡ１００をカード最上面およびカード最下面に配置している。
【００１４】
また、非接触ＩＣカード収納装置１は、１枚の非接触ＩＣカード２を収納するためのスロット(スロットｂ４、スロットｃ５、スロットｄ６)を複数備える。スロット（スロットｂ４、スロットｃ５、スロットｄ６）には、該スロットに収納された非接触ＩＣカード２と非接触ＩＣカード収納装置１間の通信に用いられるアンテナ（アンテナＢ１２７、アンテナＣ１２８、アンテナＤ１２９）がそれぞれ隣接配置され、スロットとアンテナの組み合わせ（スロットｂ４とアンテナＢ１２７、スロットｃ５とアンテナＣ１２８、スロットｄ６とアンテナＤ１２９）は、隣接するアンテナ間の電波干渉を防ぐための遮蔽板７によって仕切られて配置される。尚、本例で示す遮蔽板７は、一般的に金属、アルミニウム、スチール、フェライトなどの材料で構成するが、電波に対して遮蔽効果のある材料であれば特に限定しない。また、スロット(スロットｂ４、スロットｃ５、スロットｄ６)には、非接触ＩＣカード２が挿入されたかを検知することができるスイッチ１０８がそれぞれ配置されている。
【００１５】
図３に、本発明の実施例である非接触ＩＣカード収納装置１の内部構成を示す。
まず、非接触ＩＣカード収納装置１の主処理部分として、装置全体の制御やデータ処理等を行うＣＰＵ１０９と、非接触ＩＣカード収納装置１に収納されている非接触ＩＣカード２のカード情報を取得するための制御プログラムや、カードＲ／Ｗ装置と非接触ＩＣカード２間の通信制御プログラムなどが記憶されるＲＯＭ１２０と、非接触ＩＣカード２との通信に必要なデータを一時的に記憶するＲＡＭ１２１と、複数の非接触ＩＣカード２のカード情報をテーブルに記憶して保存する不揮発性メモリ１３０とを備える。
【００１６】
また、カードＲ／Ｗ装置との通信部分として、アンテナＡ１００と、カードＲ／Ｗ装置から受信した電波を復調変換するための復調手段１０３と、復調手段１０３から出力されたデータを処理してＣＰＵ１０９に出力する、またはＣＰＵ１０９から出力されたデータを処理して変調手段１０２に出力するデータ処理手段１０４と、データ処理手段１０４から出力されたデータを無線通信で送信するための変調手段１０２と、変調手段１０２で変調されたデータを送信制御する送信ドライバ１０１とを備える。
【００１７】
更に、非接触ＩＣカード２との通信部分として、スロットｂ４、スロットｃ５、スロットｄ６にそれぞれ収納された非接触ＩＣカード２と通信を行うためのアンテナＢ１２７と、アンテナＣ１２８と、アンテナＤ１２９と、各アンテナを介して１枚の非接触ＩＣカード２と通信を行うために、アンテナを切替えるためのアンテナ切替え手段１２６と、非接触ＩＣカード２から受信した電波に対して復調変換をするための復調手段１２５と、復調手段１２５から出力されたデータを処理してＣＰＵ１０９に出力する、またはＣＰＵ１０９から出力されたデータを処理して変調手段１２３に出力するデータ処理手段１２２と、データ処理手段１２２から出力されたデータを無線通信で送信するための変調手段１２３と、変調手段１２３で変調されたデータを送信制御する送信ドライバ１２４とを備える。
【００１８】
尚、非接触ＩＣカード収納装置１には、電池電源１０７またはカードＲ／Ｗ装置からの電波によって電源が供給される。すなわち、非接触ＩＣカード収納装置１が、カードＲ／Ｗ装置から電波を受信すると、整流ダイオード、抵抗、コンデンサで構成される電力生成手段１０５を経て電力が生成され、また、非接触ＩＣカード収納装置１のスロットｂ４、スロットｃ５、スロットｄ６のいずれかに非接触ＩＣカード２が挿入されるとスイッチ１０８が入り電池電源１０７から電源供給が開始される。これらの二つの電源は、それぞれの電源に切替えるための電力供給手段１０６を経て回路全体に接続する構成となっている。
【００１９】
次に、上記図１〜図３に示した本実施例の非接触ＩＣカード収納装置１のＣＰＵ１０９がＲＯＭ１２０に記憶される制御プログラムをＲＡＭ１２１を使用して実行する処理について図４〜図６を用いて説明する。
【００２０】
図４は、電源が投入されたときの処理フローを示す図である。
電源供給手段１０６から電源が供給され、電源ＯＮの状態になると、ステップＳ１でスイッチ１０８の状態をチェックする。図３に示したように、スイッチ１０８の状態信号はＣＰＵ１０９に入力されていて、ＣＰＵ１０９はこの信号に基づいてステップＳ１のチェックを行う。ステップＳ１において、スイッチ状態信号がＯＮ（電池からの電源供給）であるならステップＳ２に進み、非接触ＩＣカード収納装置１に収納されている全てのカードのカード情報を取得するための処理を行う。詳細は図５で説明する。
【００２１】
また、ステップＳ１においてスイッチ状態信号がＯＦＦ（カードＲ／Ｗ装置からの電波による電源供給）である場合には、ステップＳ３に進み、カードＲ／Ｗ装置と通信する１枚の非接触ＩＣカード２を選択するカード選択処理を行う。詳細は図６で説明する。
【００２２】
図５に、非接触ＩＣカード収納装置１に収納されている全ての非接触ＩＣカード２のカード情報を取得する処理フローを示す。
まず、非接触ＩＣカード収納装置１に非接触ＩＣカード２が挿入されるとスイッチ１０８がＯＮ状態となり、カード情報取得処理が始まり、ステップＳ１０にて、カード情報を取得中であることを利用者に通知するためのＬＥＤ３が点灯される。次に、ステップＳ１１で、アンテナ切替え手段１２６で非接触ＩＣカード２と通信するためのアンテナＢ１２７を通信可能なように設定する。続いてステップＳ１２で、カード情報を取得するためにカード情報要求を、データ処理手段１２２、変調手段１２３、送信ドライバ１２４、およびアンテナ切替え手段１２６で選択されたアンテナＢ１２７を介して、スロットｂ４に挿入された非接触ＩＣカード２に送信する。ステップＳ１３で、非接触ＩＣカード２のカード情報を含んだ応答を、アンテナ切替え手段１２６で選択されたアンテナＢ１２７、復調手段１２５、データ処理手段１２２を介して受信した場合にはステップＳ１４に進み、応答に含まれるカード種別データ、通信の際に用いられる応答データなどをアンテナ識別情報と共にカード情報テーブルに格納してステップＳ１５の処理に進む。ステップＳ１３で非接触ＩＣカード２からの応答を受信しなかった場合は非接触ＩＣカード２がスロットｂ４には存在しないと判断し、ステップＳ１８に進み、アンテナＢ１２７に対応するカード情報をカード情報テーブルから削除して、ステップＳ１５の処理に進む。
【００２３】
ステップＳ１５では、アンテナＢ１２７、アンテナＣ１２８、アンテナＤ１２９それぞれに対応したスロットｂ４、スロットｃ５、スロットｄ６に収納される各非接触ＩＣカード２に対してカード情報要求を行ったか否かを判定する。スロットｂ４〜スロットｄ６の全ての非接触ＩＣカード２に対してカード情報要求が行われていれば（Ｙｅｓ）、ステップＳ１６に進み、スロットｂ４〜スロットｄ６の全ての非接触ＩＣカード２に対してカード情報要求が行われていなければ（Ｎｏ）ステップＳ１１に戻り、異なるアンテナに切替えてステップＳ１１、Ｓ１２，Ｓ１３、Ｓ１４、Ｓ１８の処理を繰り返す。
【００２４】
ステップＳ１５からステップＳ１６に進んだ場合、ステップＳ１６では、カード情報取得処理が終了したことを利用者に通知するためＬＥＤ３を消灯し、ステップＳ１７では、電池電源１０７からの電源供給が停止され、カード情報取得処理が終了する。
【００２５】
ここで、利用者は３枚の非接触ＩＣカードを、非接触ＩＣカード収納装置１にセットしたと思っていても、実際は２枚しかセットされていない場合、利用者と非接触ＩＣカード収納装置との間で、カード枚数の認識にずれが起きる。このずれを防ぐために、たとえば、ステップＳ１６の後段に、セットしたカード枚数分の回数だけＬＥＤ３の点灯／消灯を繰り返して、利用者にカード枚数を通知する手段を設けてもよい。
【００２６】
図７に、図５に示したカード情報取得処理により取得されるカード情報テーブルの一例を示す。アンテナＢ１２７を用いて取得されたカード情報は、アンテナ識別情報Ｂの行に、カード事業者Ａが発行したカード種別であることを示すデータと、通信の際に用いられる応答データが格納されて記憶される。同様に、アンテナＣ１２８を用いて取得されたカード情報は、アンテナ識別情報Ｃの行に、カード事業者Ｂが発行したカード種別であることを示すデータと、応答データが格納されて記憶される。アンテナＤ１２９を用いて取得されたカード情報についても同様である。
【００２７】
このカード情報テーブルは、不揮発性メモリ１３０に記憶されるため、電源供給がなくてもメモリがクリアされることはなく、このテーブルから情報が削除されない限り保存される。
【００２８】
次に、利用者が決済処理等で非接触ＩＣカード収納装置１をカードＲ／Ｗ装置に提示した場合の、非接触ＩＣカード収納装置１の動作処理について図６を用いて説明する。
非接触ＩＣカード収納装置１がカードＲ／Ｗ装置に提示されると、複数枚の非接触ＩＣカード２のうちカードＲ／Ｗ装置と通信するカードが選択されるカード選択処理が行われる。
【００２９】
まず、ステップＳ１００で非接触ＩＣカード収納装置１は、カードＲ／Ｗ装置からのカード捕捉指令を待つ。カードＲ／Ｗ装置が送信したカード捕捉指令は、非接触ＩＣカード収納装置１のアンテナＡ１００、復調手段１０３、データ処理手段１０４を介してＣＰＵ１０９に伝達され、ステップＳ１０１で不揮発性メモリ１３０に記憶されたカード情報テーブルが検索される。この検索は、前記カード捕捉指令の電文内にあるカード種別データと一致する非接触ＩＣカード２があるか否かを検索するものである。
【００３０】
そして、ステップＳ１０２で、カード情報テーブル内に、前記カード捕捉指令に該当する非接触ＩＣカード２が存在すれば（Ｙｅｓ）ステップＳ１０３に進み、該非接触ＩＣカード２に対応するアンテナを、アンテナ切り替え手段１２６によって通信可能状態に設定し、ステップＳ１０４でテーブル内にある応答データを、データ処理手段１０４、変調手段１０２、送信ドライバ１０１、アンテナＡ１００を介して非接触ＩＣカード２からのカード捕捉応答としてカードＲ／Ｗ装置に送信する。
【００３１】
但し、ステップＳ１０２において、カード捕捉指令の電文内のカード種別データと一致する非接触ＩＣカード２がカード情報テーブル内に複数ある場合、すなわちカード事業者の同じカードが２枚以上ある場合には、予め設定された優先順位に基づいて、優先順位の高いカードのカード捕捉応答をカードＲ／Ｗ装置に送信することとする。この優先順位の設定方法としては、非接触ＩＣカード収納装置１の表面に選択スイッチを設けて、該スイッチによって利用者が優先順位を設定する方法や、スロット(スロットｂ４〜スロットｄ６)にカードが差し込まれた順に優先順位を設定する方法などあり、実現可能な方法であればどのような方法であってもかまわない。
【００３２】
ステップＳ１０４で送信されたカード捕捉応答データは、カードＲ／Ｗ装置で受信され、カードＲ／Ｗ装置は次のカード指令（例えば相互認証指令、カード内の情報読み込み指令、カードへの情報書込み指令など）を非接触ＩＣカード２宛に送信する。ステップＳ１０５で非接触ＩＣカード収納装置１は、カード指令を受信すると、ステップＳ１０６で、Ｓ１０３にて設定されたアンテナを介して該当する非接触ＩＣカード２に該カード指令をそのまま送信する。次にステップＳ１０７で、非接触ＩＣカード２からのカード応答を受信する。受信したカード応答をステップＳ１０８でカードＲ／Ｗ装置に送信し、ステップＳ１０５に遷移する。
【００３３】
このように、非接触ＩＣカード収納装置１がカードＲ／Ｗ装置に提示されると、どの非接触ＩＣカード２と通信するのかが選択され（ステップＳ１００〜ステップＳ１０４）、その後ステップＳ１０５〜ステップＳ１０８までの処理が繰り返されることによって、非接触ＩＣカード収納装置１が非接触ＩＣカード２とカードＲ／Ｗ装置間の通信を仲介するようになる。これにより、物理的には利用者が同時に複数枚の非接触ＩＣカード２をカードＲ／Ｗ装置に提示するが、相互認証指令、カードのデータ読み込み指令、カードへのデータ書込み指令などを１枚の非接触ＩＣカード２に対して行うことが可能となる。
【００３４】
以上、本発明の非接触ＩＣカード収納装置の実施例を詳細に説明したが、本発明は以上に述べたことに限定されるものではない。すなわち、上述の実施例では非接触ＩＣカードを挿入できるスロットが３つであるカード収納装置を示したが、同様な方法でスロット数を多くし、より多くのが収納できるように構成してもよい。また、上述の実施例ではカードケース状の収納装置を示して説明をしたが、カード収納可能なかばんや財布に同様の機能を実現することは容易である。このように本発明は以上に述べたことに限定されるものではなく、その他、本発明の要旨を逸脱しない範囲で様々の構成、または形状をつくることができることはいうまでもない。
【００３５】
本発明の非接触ＩＣカード収納装置は、複数枚の非接触ＩＣカードを収納可能な非接触ＩＣカード収納装置であって、前記収納装置に収納された各非接触ＩＣカードのカード情報を取得する手段（ＲＯＭ１２０に記録されたプログラムがＣＰＵ１０９に実行されることにより実現される。処理フローは図５。）と、前記取得された複数のカード情報を記憶する手段（不揮発性メモリ１３０に記憶される図７に示す情報テーブル。）と、非接触ＩＣカードリーダ／ライタ装置からカード捕捉指令を受信すると前記記憶したカード情報から対応する非接触ＩＣカードを検索し、該非接触ＩＣカードが該非接触ＩＣカードリーダ／ライタ装置と通信可能となるようにアンテナを設定する手段（ＲＯＭ１２０に記録されたプログラムがＣＰＵ１０９に実行されることにより実現される。処理フローは図６。）と、を備えることを特徴とする。
【００３６】
これにより、複数枚の非接触ＩＣカードが同時にカードＲ／Ｗ装置に提示されても、一枚の非接触ＩＣカードとカードＲ／Ｗ装置の通信となるため、安定した通信を実現可能で、また複数の非接触ＩＣカードが同時にカードＲ／Ｗ装置に検知されることがないため決済処理などの中断を防ぐことが可能である。更に決済処理などのための利用カードを選定する利用者の動作が不要であるため、駅の改札や決済処理端末装置周辺での混雑を招くことがなくなる。
【図面の簡単な説明】
【００３７】
【図１】本発明の実施例である非接触ＩＣカード収納装置の外観を示す図である。
【図２】図１の視点ａから見た、非接触ＩＣカード収納装置の側面図を示す図である。
【図３】本発明の実施例である非接触ＩＣカード収納装置の内部構成を示す図である。
【図４】本発明の実施例である非接触ＩＣカード収納装置の処理フローを示す図である。
【図５】図４の「カード情報取得処理（Ｓ２）」の詳細フローを示す図である。
【図６】図４の「カード選択処理（Ｓ３）」の詳細フローを示す図である。
【図７】カード情報テーブルの一例を示す図である。
【符号の説明】
【００３８】
１      非接触ＩＣカード収納装置
２      非接触ＩＣカード
３      ＬＥＤ
４      スロットｂ
５      スロットｃ
６      スロットｄ
７      遮蔽板
１００      アンテナＡ
１０１      送信ドライバ
１０２      変調手段
１０３      復調手段
１０４      データ処理手段
１０５      電力生成手段
１０６      電源供給手段
１０７      電池電源
１０８      スイッチ
１０９      ＣＰＵ
１２０      ＲＯＭ
１２１      ＲＡＭ
１２２      データ処理手段
１２３      変調手段
１２４      送信ドライバ
１２５      復調手段
１２６      アンテナ切替え手段
１２７      アンテナＢ
１２８      アンテナＣ
１２９      アンテナＤ
１３０      不揮発性メモリ
【図３】
2008027199.tif 000003
【図４】
2008027199.tif 000004
【図５】
2008027199.tif 000005
【図６】
2008027199.tif 000006
【図７】
2008027199.tif 000007
【図１】
2008027199.tif 000008
【図２】
2008027199.tif 000009